(57)【特許請求の範囲】
【請求項１】
コンピュータに、
項目に関する検索条件の入力を受け付け、
記憶部に記憶された帳票の項目を指定する情報を含む複数の帳票情報の中から、入力された前記検索条件に合致する第１帳票情報を抽出し、
前記第１帳票情報を、入力された情報を表示する表示部に表示させるとともに、前記第１帳票情報の改変後の第２帳票情報が前記記憶部に記憶されているとき、前記第２帳票情報が前記検索条件に合致しなくとも、前記第１帳票情報と前記第２帳票情報の双方に含まれる項目と、前記第１帳票情報と前記第２帳票情報のいずれか一方にのみ含まれる項目とを、前記改変により前記第１帳票情報から削除された項目と前記改変により前記第１帳票情報へ追加された項目とがいずれも識別可能な態様で含む前記第２帳票情報を前記表示部に表示させる
処理を実行させることを特徴とする帳票情報処理プログラム。
【請求項２】
コンピュータに、
項目に関する検索条件の入力を受け付け、
記憶部に記憶された帳票の項目を指定する情報を含む複数の帳票情報の中から、入力された前記検索条件に合致する第１帳票情報を抽出し、
前記第１帳票情報を、入力された情報を表示する表示部に表示させるとともに、前記第１帳票情報の改変後の第２帳票情報が前記記憶部に記憶されているとき、前記第２帳票情報が前記検索条件に合致しなくとも、前記第１帳票情報と前記第２帳票情報の双方に含まれる項目と、前記第１帳票情報と前記第２帳票情報のいずれか一方にのみ含まれる項目とを識別可能に、前記第２帳票情報を前記表示部に表示させる
処理を実行させ、
前記検索条件は、
帳票の作成時に指定可能な項目を含み、
前記コンピュータにより実行される処理は、さらに、
前記帳票情報を表示したとき、表示した前記帳票情報の選択を受け付け、
選択された帳票情報に含まれる項目と、入力された前記項目とが異なるとき、選択された帳票情報に含まれる前記項目を、入力された前記項目に変更した第３帳票情報を生成する
処理を含むことを特徴とする帳票情報処理プログラム。
【請求項３】
コンピュータに、
項目に関する検索条件の入力を受け付け、
記憶部に記憶された帳票の項目を指定する情報を含む複数の帳票情報の中から、入力された前記検索条件に合致する第１帳票情報を抽出し、
前記第１帳票情報を、入力された情報を表示する表示部に表示させるとともに、前記第１帳票情報の改変後の第２帳票情報が前記記憶部に記憶されているとき、前記第２帳票情報が前記検索条件に合致しなくとも、前記第１帳票情報と前記第２帳票情報の双方に含まれる項目と、前記第１帳票情報と前記第２帳票情報のいずれか一方にのみ含まれる項目とを識別可能に、前記第２帳票情報を前記表示部に表示させる
処理を実行させ、
前記検索条件は、
帳票の作成時に指定可能な項目に関連するキーワードを含み、
前記受付処理は、さらに、
作成する帳票を用いるユーザの第１識別情報を受け付け、
前記記憶部は、さらに、
前記キーワードと、ユーザの前記第１識別情報と、項目の文字列とを関連付けた第１関連情報を記憶し、
前記コンピュータにより実行される処理は、さらに、
前記キーワードと前記第１識別情報とが入力されたとき、前記第１関連情報を検索し、入力された前記キーワードと前記第１識別情報とに関連付けられた項目の前記文字列を取得する処理を含み、
前記抽出処理は、
取得した項目の前記文字列と一致する項目の文字列を含む前記帳票情報を抽出する
ことを特徴とする帳票情報処理プログラム。
【請求項４】
前記検索条件は、
帳票の作成時に指定可能な項目に関連するキーワードを含み、
前記受付処理は、さらに、
作成する帳票を用いるユーザの第１識別情報を受け付け、
前記記憶部は、さらに、
前記キーワードと、ユーザの前記第１識別情報と、項目の文字列とを関連付けた第１関連情報を記憶し、
前記コンピュータにより実行される処理は、さらに、
前記キーワードと前記第１識別情報が入力されたとき、前記第１関連情報を検索し、入力された前記キーワードと前記第１識別情報とに関連付けられた第１種別の項目の前記文字列を取得する処理を含み、
前記生成処理は、
選択された帳票情報に含まれる第１種別の項目の前記文字列と、取得した第１種別の項目の前記文字列とが異なるとき、選択された帳票情報に含まれる第１種別の項目の前記文字列を、取得した第１種別の項目の前記文字列に変更した第３帳票情報を生成する
ことを特徴とする請求項２に記載の帳票情報処理プログラム。
【請求項５】
項目に関する検索条件の入力を受け付ける受付部と、
記憶部に記憶された帳票の項目を指定する情報を含む複数の帳票情報の中から、入力された前記検索条件に合致する第１帳票情報を抽出する抽出部と、
前記第１帳票情報を、入力された情報を表示する表示部に出力するとともに、前記第１帳票情報の改変後の第２帳票情報が前記記憶部に記憶されているとき、前記第２帳票情報が前記検索条件に合致しなくとも、前記第１帳票情報と前記第２帳票情報の双方に含まれる項目と、前記第１帳票情報と前記第２帳票情報のいずれか一方にのみ含まれる項目とを、前記改変により前記第１帳票情報から削除された項目と前記改変により前記第１帳票情報へ追加された項目とがいずれも識別可能な態様で含む前記第２帳票情報を前記表示部に出力する出力部と、
を備えることを特徴とする帳票情報処理装置。
【請求項６】
帳票情報検索装置のコンピュータにより実行される帳票情報処理方法であって、
前記コンピュータは、
項目に関する検索条件の入力を受け付け、
記憶部に記憶された帳票の項目を指定する情報を含む複数の帳票情報の中から、入力された前記検索条件に合致する第１帳票情報を抽出し、
前記第１帳票情報を、入力された情報を表示する表示部に表示させるとともに、前記第１帳票情報の改変後の第２帳票情報が前記記憶部に記憶されているとき、前記第２帳票情報が前記検索条件に合致しなくとも、前記第１帳票情報と前記第２帳票情報の双方に含まれる項目と、前記第１帳票情報と前記第２帳票情報のいずれか一方にのみ含まれる項目とを、前記改変により前記第１帳票情報から削除された項目と前記改変により前記第１帳票情報へ追加された項目とがいずれも識別可能な態様で含む前記第２帳票情報を前記表示部に表示させる
ことを特徴とする帳票情報処理方法。
【請求項７】
帳票情報処理装置であって、
項目に関する検索条件の入力を受け付ける受付部と、
記憶部に記憶された帳票の項目を指定する情報を含む複数の帳票情報の中から、入力された前記検索条件に合致する第１帳票情報を抽出する抽出部と、
前記第１帳票情報を、入力された情報を表示する表示部に出力するとともに、前記第１帳票情報の改変後の第２帳票情報が前記記憶部に記憶されているとき、前記第２帳票情報が前記検索条件に合致しなくとも、前記第１帳票情報と前記第２帳票情報の双方に含まれる項目と、前記第１帳票情報と前記第２帳票情報のいずれか一方にのみ含まれる項目とを識別可能にした前記第２帳票情報を、前記表示部に出力する出力部と、
を備え、
前記検索条件は、
帳票の作成時に指定可能な項目を含み、
前記帳票情報処理装置は、さらに、
前記帳票情報を表示したとき、表示した前記帳票情報の選択を受け付ける選択受付部と、
選択された帳票情報に含まれる項目と、入力された前記項目とが異なるとき、選択された帳票情報に含まれる前記項目を、入力された前記項目に変更した第３帳票情報を生成する生成部と、
を備えることを特徴とする帳票情報処理装置。
【請求項８】
帳票情報処理装置であって、
項目に関する検索条件の入力を受け付ける受付部と、
記憶部に記憶された帳票の項目を指定する情報を含む複数の帳票情報の中から、入力された前記検索条件に合致する第１帳票情報を抽出する抽出部と、
前記第１帳票情報を、入力された情報を表示する表示部に出力するとともに、前記第１帳票情報の改変後の第２帳票情報が前記記憶部に記憶されているとき、前記第２帳票情報が前記検索条件に合致しなくとも、前記第１帳票情報と前記第２帳票情報の双方に含まれる項目と、前記第１帳票情報と前記第２帳票情報のいずれか一方にのみ含まれる項目とを識別可能にした前記第２帳票情報を、前記表示部に出力する出力部と、
を備え、
前記検索条件は、
帳票の作成時に指定可能な項目に関連するキーワードを含み、
前記受付部は、さらに、
作成する帳票を用いるユーザの第１識別情報を受け付け、
前記記憶部は、さらに、
前記キーワードと、ユーザの前記第１識別情報と、項目の文字列とを関連付けた第１関連情報を記憶し、
前記帳票情報処理装置は、さらに、
前記キーワードと前記第１識別情報とが入力されたとき、前記第１関連情報を検索し、入力された前記キーワードと前記第１識別情報とに関連付けられた項目の前記文字列を取得する取得部を備え、
前記抽出部は、
取得した項目の前記文字列と一致する項目の文字列を含む前記帳票情報を抽出する
ことを特徴とする帳票情報処理装置。
【発明の詳細な説明】
【技術分野】
【０００１】
本発明は帳票情報を検索する技術に関する。
【背景技術】
【０００２】
売上実績情報や顧客情報などのデータと、帳票の項目を含む帳票情報とを記憶した記憶装置に接続され、ユーザからの帳票の作成要求に含まれる項目を用いて帳票を作成し、作成した帳票をユーザに対して出力する帳票情報検索装置がある。帳票情報とは、例えば、帳票に含まれる項目の情報を含み、含まれる項目に対応するデータを取得することにより、所定の帳票を復元することができる情報を言う。
【０００３】
ユーザは、帳票を作成するとき、端末上に表示されたキーワード指定画面に、作成する帳票で用いる予定であるいくつかの項目を指定するキーワードを入力し、入力したキーワードを含む帳票情報の検索要求を帳票情報検索装置に送信する。キーワードとは、例えば、帳票で実際に使用する項目を示す文字列、および帳票で実際に使用する項目を指定する文字列である。
【０００４】
帳票情報検索装置は、ユーザから検索要求を受信すると、例えば、キーワードに一致する項目を含むことを検索条件として、該当する帳票情報を記憶装置から抽出し、抽出した帳票情報をおすすめの帳票情報としてユーザに送信する。
【０００５】
端末は、おすすめの帳票情報を受信すると、おすすめの帳票情報に含まれる項目を問合せ画面に展開する。これにより、ユーザは、端末の問合せ画面に展開されたおすすめの帳票情報の項目を修正し、修正した帳票情報を帳票情報検索装置へ送信することで、送信した帳票情報から復元された帳票を帳票情報検索装置から取得するという技術が知られている。
【０００６】
関連する他の技術として、帳票発行装置は、個別対象毎に複数項目の可変情報を含むデータを記憶するデータベースを有する。そして、帳票発行装置は、指定された個別対象のデータをデータベースから読出して、この読出した個別対象の各項目のデータを予め定められた複数の固定情報と共に印字出力して個別対象の帳票として発行する。また、各固定情報は、固定テキストデータで記述される。各可変情報は、キーワードで記述された帳票テンプレートを採用する。帳票発行装置は、キーワードをデータベースに記憶されたデータに置換えて、各キーワードが各データに置換えられた帳票テンプレートを個別対象の帳票として印字出力する（例えば、特許文献１）。
【先行技術文献】
【特許文献】
【０００７】
【特許文献１】実用新案登録第３１７４７４０号
【発明の概要】
【発明が解決しようとする課題】
【０００８】
前述した検索技術を用いた帳票情報検索装置は、例えば、検索条件に基づいて複数の帳票情報が記憶装置から抽出されたとき、複数の帳票情報の中からユーザが利用する帳票情報を選択させる。このとき、改版した帳票が複数抽出される場合があるが、ユーザは、適した帳票情報を選択するための判断材料がないため、帳票の作成に適した帳票情報の選択が困難になることがある。
【０００９】
本発明は、一側面として、改版前と改版後の双方が存在する帳票について、改版箇所を分かりやすく認識可能にすることを目的とする。
【課題を解決するための手段】
【００１０】
本明細書で開示する帳票情報処理プログラムのひとつに、受付処理と、抽出処理と、表示処理とをコンピュータに実行させる帳票情報処理プログラムがある。受付処理は、項目に関する検索条件の入力を受け付ける。抽出処理は、記憶部に記憶された帳票の項目を指定する情報を含む複数の帳票情報の中から、入力された検索条件に合致する第１帳票情報を抽出する。表示処理は、第１帳票情報を、入力された情報を表示する表示部に表示させる。さらに、表示処理は、第１帳票情報の改変後の第２帳票情報が記憶部に記憶されているとき、第２帳票情報が検索条件に合致しなくとも、第２帳票情報を表示部に表示させる。このとき、表示処理は、第１帳票情報と第２帳票情報の双方に含まれる項目と、第１帳票情報と第２帳票情報のいずれか一方にのみ含まれる項目とを、改変により第１帳票情報から削除された項目と改変により第１帳票情報へ追加された項目とがいずれも識別可能な態様で含む第２帳票情報を表示部に表示させる。
【発明の効果】
【００１１】
改版前と改版後の双方が存在する帳票について、改版箇所を分かりやすく認識可能にすることができる。
【図面の簡単な説明】
【００１２】
【図１】帳票情報検索装置の一実施例を示す機能ブロック図である。
【図２】トップ画面の一実施例を示す図である。
【図３】ガイド画面の一実施例を示す図である。
【図４】検索画面の一例を示す図（その１）である。
【図５】検索画面の一例を示す図（その２）である。
【図６】検索画面の一例を示す図（その３）である。
【図７】利用者情報の一例を示す図である。
【図８】関連情報の一例を示す図である。
【図９】検索画面の一例を示す図（その４）である。
【図１０】帳票情報の一例を示す図である。
【図１１】履歴情報の一例を示す図である。
【図１２】利用者情報の一例を示す図である。
【図１３】帳票の出力画面の一例を示す図（その１）である。
【図１４】帳票の出力画面の一例を示す図（その２）である。
【図１５】職制情報の一例を示す図である。
【図１６】除外情報の一例を示す図である。
【図１７】組織情報の一例を示す図である。
【図１８】略称情報の一例を示す図である。
【図１９】生成された帳票情報を示す図である。
【図２０】問い合わせ画面の一例を示す図（その１）である。
【図２１】問い合わせ画面の一例を示す図（その２）である。
【図２２】生成された帳票を示す図である。
【図２３】帳票情報生成処理を示すフローチャート（その１）である。
【図２４】帳票情報生成処理を示すフローチャート（その２）である。
【図２５】コンピュータ装置の一実施例を示すブロック図である。
【発明を実施するための形態】
【００１３】
［実施形態］
実施形態の帳票情報検索装置について説明する。
【００１４】
図１は、帳票情報検索装置の一実施例を示す機能ブロック図である。以下の説明では、図１を参照して、実施形態の帳票情報検索装置１が有する機能について説明する。帳票情報検索装置１とは、例えば、後述するコンピュータ装置である。
【００１５】
図１に示すように、帳票情報検索装置１は、例えば、有線ＬＡＮ、無線ＬＡＮ、およびネットワークなどを介して端末２と通信可能に接続される。ＬＡＮとは、Ｌｏｃａｌ  Ａｒｅａ  Ｎｅｔｗｏｒｋの略である。端末２とは、例えば、後述するコンピュータ装置である。
【００１６】
帳票情報検索装置１は、例えば、制御部１０と、記憶部２０と、送受信部３０とを備える。制御部１０は、受付部１１と、抽出部１２と、出力部１３と、生成部１４と、取得部１５とを含む。記憶部２０は、帳票情報２１１−２１ｎと、利用者情報２２１−２２ｍと、関連情報２３１−２３ｌと、履歴情報２４１−２４ｋと、利用情報２５と、職制情報２６１−２６ｋと、除外情報２７と、略称情報２８と、組織情報２９と、データ８０とを記憶する。送受信部３０は、送信部３１と、受信部３２とを含む。帳票情報２１１−２１ｎのいずれか一つを示す場合には、帳票情報２１とも言う。利用者情報２２１−２２ｍのいずれか一つを示す場合には、利用者情報２２とも言う。関連情報２３１−２３ｌのいずれか一つを示す場合には、関連情報２３とも言う。履歴情報２４１−２４ｋのいずれか一つを示す場合には、履歴情報２４とも言う。職制情報２６１−２６ｋのいずれか一つを示す場合には、職制情報２６とも言う。また、データ８０には、売上実績情報や顧客情報などを示す複数のデータが、それぞれ項目の種別に対応付けられて格納されているものとする。
【００１７】
端末２は、制御部４０と、送受信部５０と、入力部６０と、表示部７０とを備える。制御部４０は、展開部４１と、処理部４２とを含む。送受信部５０は、送信部５１と、受信部５２とを含む。
【００１８】
受付部１１は、端末２から項目に関する検索条件の入力を受け付ける。検索条件は、例えば、作成する帳票で用いられる、帳票の作成時に指定可能な項目を含む。また、検索条件は、作成する帳票に関連する、帳票の作成時に指定可能なキーワードを含んでも良い。作成する帳票とは、例えば、ユーザが指定した項目を用いて作成される帳票である。項目とは、例えば、年度、部署、顧客、商品、および順位などを表し、帳票上で対応するデータと関連付けられて表示される文字列のことである。キーワードとは、例えば、項目の文字列や項目の種別を示す文字列である。
【００１９】
受付部１１は、作成する帳票を用いるユーザの利用者識別情報（第１識別情報）を受け付ける。
【００２０】
ユーザが検索条件を入力し、受付部１１が検索条件の入力を受け付けるまでの処理を図２〜図９を参照して説明する。また、以下の説明では、帳票情報検索装置１と、端末２とは、それぞれ送受信部３０と、送受信部５０とを用いて、各種情報を送受信しているものとする。
【００２１】
図２は、トップ画面の一実施例を示す図である。
図２を参照して説明する。
【００２２】
処理部４２は、例えば、ユーザにより帳票情報検索装置１を指定する宛先が入力されると、帳票情報検索装置１にアクセスする。出力部１３は、処理部４２からのアクセスを受け付けると、トップ画面１００を表示させる第１表示要求を端末２に送信する。
【００２３】
図２に示すように、処理部４２は、第１表示要求を受信すると、表示部７０にトップ画面を表示させる。そして、処理部４２は、ユーザによりガイド１０１のアイコンが選択されると、ガイド１０１のアイコンが選択されたことを、帳票情報検索装置１に通知する。出力部１３は、端末２からガイド１０１のアイコンが選択されたことが通知されると、ガイド画面１１０を表示させる第２表示要求を端末２に送信する。
【００２４】
図３は、ガイド画面の一実施例を示す図である。
図３を参照して説明する。
【００２５】
図３に示すように、処理部４２は、第２表示要求を受信すると、表示部７０にガイド画面１１０を表示させる。そして、処理部４２は、ユーザによりテンプレートから見たい情報を探す１１１のアイコンが選択されると、ユーザによりテンプレートから見たい情報を探す１１１のアイコンが選択されたことを、帳票情報検索装置１に通知する。出力部１３は、端末２からテンプレートから見たい情報を探す１１１のアイコンが選択されたことが通知されると、例えば、帳票情報２１１−２１ｎを復元した帳票を表示部７０に表示させる第３表示要求を処理部４２に送信する。そして、処理部４２は、表示部７０に帳票情報２１１−２１ｎを復元した帳票を表示部７０に表示させ、ユーザに使用する帳票を選択させる。ユーザにより使用する帳票が選択されると、出力部１３は、選択された帳票の項目を示す情報を含む帳票情報２１を、端末２に送信する。
【００２６】
展開部４１は、帳票情報２１を受信すると、帳票情報２１に含まれる項目を展開した問い合わせ画面を表示部７０に表示させる。ユーザは、表示部７０に表示された問合せ画面を確認しながら帳票情報２１の項目を修正し、修正した帳票情報２１を帳票情報検索装置１へ送信する。そして、生成部１４は、修正された帳票情報２１を受信すると、修正された帳票情報２１に対応する帳票を生成し、端末２に送信する。処理部４２は、帳票を受信すると、表示部７０に帳票を表示する。これにより、ユーザは、指定した項目を含む帳票を取得することができる。
【００２７】
また、処理部４２は、ユーザによりキーワードを指定して見たい情報を探す１１２のアイコンが選択されると、ユーザによりキーワードを指定して見たい情報を探す１１２のアイコンが選択されたことを、帳票情報検索装置１に通知する。出力部１３は、キーワードを指定して見たい情報を探す１１２のアイコンが選択されたことが通知されると、検索画面１２０を表示させる第４表示要求を端末２に送信する。
【００２８】
図４は、検索画面の一例を示す図（その１）である。図５は、検索画面の一例を示す図（その２）である。
【００２９】
図４、図５を参照して説明する。
図４に示すように、処理部４２は、第４表示要求を受信すると、表示部７０に検索画面１２０を表示させる。そして、処理部４２は、ユーザにより、条件１２１〜１２５、およびデータ１３１〜１３５のいずれか１以上にキーワードが入力され、ＯＫ１４０のアイコンが選択されると、入力されたキーワードを含む帳票情報の検索要求を帳票情報検索装置１に送信する。これにより、帳票情報検索装置１は、キーワードを検索条件として受け付ける。
【００３０】
条件１２１〜１２５には、条件キーワード１２６に示される文字列が入力される。データ１３１〜１３５には、データキーワード１３６に示される文字列が入力される。なお、条件キーワード１２６、およびデータキーワード１３６に示される文字列は、ドラッグアンドドロップにより、条件１２１〜１２５、およびデータ１３１〜１３５に入力されても良い。また、条件１２１〜１２５、およびデータ１３１〜１３５は、それぞれ５つに限定されるものではなく、１以上の任意の数の入力欄が設けられても良い。
【００３１】
また、条件１２１には、時期に関するキーワードが入力されても良い。条件１２２には、部署に関するキーワードが入力されても良い。条件１２３〜１２５には、集計単位に関するキーワードが入力されても良い。集計単位とは、例えば、時期と部署に関する以外の項目を示す情報であっても良い。
【００３２】
端末２は、例えば、図示しない記憶部に、キーワード「年度」に関する文字列として、「２０１０年〜２０１４年」を記憶しても良い。そして、端末２は、条件１２１にキーワード「年度」が入力されたとき、図５に示すように、プルダウンにより「２０１０年〜２０１４年」を選択できるようにしても良い。このように、条件１２１〜１２５は、キーワードが入力されたとき、入力されたキーワードに関する文字列がプルダウンにより複数表示され、ユーザの選択を受け付けるように設定されていても良い。
【００３３】
後述する変更処理により、データ１３１〜１３５は、データキーワードから選択されたキーワードが入力されると、入力されたキーワードがユーザの部署に応じたキーワードに変更される。また、データ１３１〜１３５は、入力されたキーワードに関する文字列がプルダウンにより複数表示され、ユーザの選択を受け付けるように設定されても良い。
【００３４】
図１と、図６〜図９とを参照して、受付部１１が変更されたデータキーワードを受け付ける処理を説明する。
【００３５】
図６は、検索画面の一例を示す図（その３）である。
図６を参照して説明する。
【００３６】
図６に示すように、条件１２１〜１２５と、データ１３１、１３２とに、キーワードが入力されたとき、ユーザの用いるデータに適したキーワードを帳票検索に用いるため、帳票情報検索装置１は、データ１３１と、データ１３２との文字列を変更する処理をする。
【００３７】
図７は、利用者情報の一例を示す図である。
図７を参照して、利用者情報２２１について説明する。利用者情報２２２〜２２ｍは、利用者情報２２１と同様の情報を格納するので、説明を省略する。
【００３８】
利用者情報２２１は、番号と、項目と、データとを関連付けて格納する。
番号は、利用者情報２２１の各レコードを識別する識別子である。
【００３９】
項目は、利用者情報２２１に格納されたデータの種別を示す情報である。利用者識別子は、帳票の利用者を識別する識別子である。利用者名は、利用者識別子で識別される利用者の名前を示す情報である。所属部識別子は、帳票の利用者の属する部署を識別する識別子である。所属部名は、所属部識別子で識別される所属部署の名称を示す情報である。
【００４０】
データは、同じレコードに格納された項目に対応するデータである。
図１を参照して説明する。
【００４１】
ユーザは、例えば、帳票情報の検索をおこなうとき、利用者識別子を、入力部６０を介して端末２に入力する。処理部４２は、利用者識別子の入力を受け付けると、帳票情報検索装置１に利用者識別子を送信する。以下の説明では、利用者によって利用者識別子ｆｊ１１が入力されたものとする。
【００４２】
抽出部１２は、利用者識別子ｆｊ１１を受信すると、利用者情報２２１〜２２ｍを検索し、受信した利用者識別子ｆｊ１１を含む利用者情報２２１を抽出する。そして、取得部１５は、利用者の所属する部署を示す所属部識別子１２３４を利用者情報２２１から取得する。
【００４３】
また、図６に示すように、処理部４２は、ユーザによりデータ１３１にキーワード「売上」が入力されると、キーワード「売上」を帳票情報検索装置１に送信する。
【００４４】
図８は、関連情報の一例を示す図である。
図８を参照して、関連情報２３１について説明する。関連情報２３２〜２３ｌは、関連情報２３１と同様の情報を格納するので、説明を省略する。
【００４５】
関連情報２３１は、番号と、項目と、データとを関連付けて格納する。
番号は、関連情報２３１の各レコードを識別するための識別子である。
【００４６】
項目は、関連情報２３１に格納されたデータの種別を示す情報である。キーワードは、項目の種別を示す情報である。項目名は、関連情報２３１に格納されたキーワードに関する種別の項目が、関連情報２３１に格納された所属部識別子で識別される部署で用いられる帳票で使用されるとき、使用される項目の名称を示す情報である。
【００４７】
データは、同じレコードに格納された項目に対応するデータである。
図１を参照して説明する。
【００４８】
抽出部１２は、キーワード「売上」を受信すると、関連情報２３１〜２３ｌを検索し、キーワード「売上」と、取得した所属部識別子１２３４とを含む関連情報２３１を抽出する。そして、出力部１３は、関連情報２３１に含まれる項目名「経理売上値」をキーワード「売上」に対応する文字列として端末２に送信する。
【００４９】
図９は、検索画面の一例を示す図（その４）である。
図９を参照して説明する。
【００５０】
処理部４２は、キーワード「売上」に対応する項目名「経理売上値」を受信すると、問い合わせ画面に表示されたデータ１３１のキーワード「売上」を、「経理売上値」に変更する。
【００５１】
また、処理部４２は、データ１３２のキーワード「利益」に関しても、同様に、帳票情報検索装置１に送信する。抽出部１２は、キーワード「利益」を受信すると、関連情報２３１〜２３ｌを検索し、キーワード「利益」と、取得した所属部識別子１２３４とを含む関連情報２３２を抽出する。そして、出力部１３は、関連情報２３２に含まれる項目名「営業利益」と「経常利益」とをキーワード「利益」に対応する文字列として端末２に送信する。処理部４２は、キーワード「利益」に対応する項目名「営業利益」と「経常利益」とを受信すると、２つの文字列をプルダウンで示し、ユーザに「営業利益」と「経常利益」とを選択させても良い。そして、処理部４２は、問い合わせ画面に表示されたキーワード「利益」を、選択された項目名に変更する。以下の説明では、「経常利益」が選択されたものとして説明する。
【００５２】
図１を参照して説明する。
抽出部１２は、記憶部２０に記憶された帳票の項目を指定する情報を含む複数の帳票情報２１１〜２１ｎの中から、入力された検索条件に合致する帳票情報２１（第１帳票情報）を抽出する。
【００５３】
抽出部１２は、検索条件として、作成する帳票で用いる項目が入力されたとき、入力された項目と一致する項目を含む帳票情報２１を抽出しても良い。
【００５４】
また、受付部１１がキーワードと利用者識別情報とを受け付けたとき、取得部１５は、関連情報２３１〜２３ｌを検索し、入力されたキーワードと利用者識別情報とに関連付けられた項目の文字列を取得しても良い。このとき、抽出部１２は、取得した項目の文字列と一致する項目の文字列を含む帳票情報２１を抽出しても良い。以下の説明では、利用者識別情報のことを利用者識別子とも言う。また、取得部１１は、利用者識別子を検索し、受け付けた利用者識別子に関連付けられた所属部識別子を取得する。そして、取得部１５は、関連情報２３１〜２３ｌを検索し、入力されたキーワードと取得した利用者識別情報とに関連付けられた項目の文字列を取得しても良い。
【００５５】
図１０は、帳票情報の一例を示す図である。
図１０を参照して、帳票情報２１１について説明する。帳票情報２１２〜２１ｎは、帳票情報２１１と同様の情報を格納するので、説明を省略する。
【００５６】
帳票情報２１１は、番号と、項目と、データとを関連付けて格納する。
番号は、帳票情報２１１の各レコードを識別するための識別子である。
【００５７】
項目は、帳票情報２１１に格納されたデータの種別を示す情報である。帳票識別子は、帳票情報２１１に格納されている項目を用いて復元される帳票を識別する識別子である。集計単位１〜５は、例えば、時期と部署に関する以外の項目を示す情報である。データ１〜５は、例えば、帳票を生成するときに、データ８０から取得されるデータの種別を示す情報である。
【００５８】
データは、同じレコードに格納された項目に対応するデータである。
抽出部１２は、例えば、図９に示す問い合わせ画面に入力されたキーワードを受信したとき、各キーワードとの一致を検索条件として、帳票情報２１１〜２１ｎに含まれる文字列を検索する。
【００５９】
検索条件は、条件１２１〜１２５に関するキーワード（項目）が２つ以上一致であることでも良い。また、検索条件は、データ１３１〜１３５に関するキーワードが１つ以上一致であることでも良い。さらに、検索条件は、条件１２１〜１２５に関するキーワードが２つ以上一致であり、かつデータ１３１〜１３５に関するキーワードが１つ以上一致であることでも良い。検索条件は、上述により示された以外にも、任意に設定された条件を用いても良い。以下の説明では、条件１２１〜１２５に関するキーワードが２つ以上一致であり、かつデータ１３１〜１３５に関するキーワードが１つ以上一致であることを検索条件として説明する。
【００６０】
ここで、図１０に示す帳票情報２１１の集計単位１、３は、図９に示す条件１２３、１２５のキーワード「センター名」、および「顧客名」と一致する。さらに、帳票情報２１１のデータ１は、図９に示すデータ１３１のキーワード「経理売上値」と一致する。したがって、抽出部１２は、帳票情報２１１を抽出する。なお、抽出部１２は、複数の帳票情報２１が抽出されたとき、最も一致するキーワードが多い帳票情報を抽出しても良い。以下の説明では、帳票情報２１１が抽出されたものとして説明する。
【００６１】
図１を参照して説明する。
出力部１３は、おすすめの帳票情報２１（第１帳票情報）を入力された情報を表示する表示部７０に出力する。さらに、出力部１３は、おすすめの帳票情報２１の改変後の生成された帳票情報２１（第２帳票情報）が記憶部２０に記憶されているとき、生成された帳票情報２１が検索条件に合致しなくとも、生成された帳票情報２１を表示部７０に出力する。このとき、出力部１３は、おすすめの帳票情報２１と生成された帳票情報２１の双方に含まれる項目と、おすすめの帳票情報２１と生成された帳票情報２１のいずれか一方にのみ含まれる項目とを識別可能にし、生成された帳票情報２１を表示部７０に出力する。これにより、出力部１４は、表示部７０におすすめの帳票情報２１と、生成された帳票情報２１とを表示させる。すなわち、出力部１３は、おすすめの帳票情報２１と異なる項目を識別可能な状態にして、生成された帳票情報２１を出力する。以下の説明では、おすすめの帳票情報２１に含まれる項目を改版（変更）することにより生成された帳票情報２１のことを、改版帳票情報２１とも言う。
【００６２】
おすすめの帳票情報２１と異なる項目を識別可能な状態にするとは、例えば、改版帳票情報２１を復元したとき、おすすめの帳票情報２１と異なる項目の範囲の色を変更することにより実現しても良い。また、おすすめの帳票情報２１と異なる項目を識別可能な状態にするとは、例えば、改版帳票情報２１を復元したとき、おすすめの帳票情報２１と異なる項目が判別可能であれば、色の変更以外の方法を用いても良い。項目の変更には、例えば、項目の追加と、項目の削除とが含まれる。
【００６３】
図１１は、履歴情報の一例を示す図である。
図１１を参照して、履歴情報２４１について説明する。履歴情報２４２〜２４ｋは、履歴情報２４１と同様の情報を格納するので、説明を省略する。
【００６４】
履歴情報２４１は、番号と、項目と、データとを関連付けて格納する。
番号は、履歴情報２４１の各レコードを識別するための識別子である。
【００６５】
項目は、履歴情報２４１に格納されたデータの種別を示す情報である。実行日時は、履歴情報２４１に格納されている帳票識別子で識別される帳票を出力した日時を示す情報である。利用者識別子は、履歴情報２４１に格納されている帳票識別子で識別される帳票の利用者を識別する識別子である。利用者識別子に関連付けられて格納されるデータは、例えば、帳票の作成要求を入力したユーザの識別子でも良い。作成者識別子は、履歴情報２４１に格納されている帳票識別子で識別される帳票の作成者を識別する識別子である。帳票識別子は、帳票を識別する識別子である。ベース識別子は、履歴情報２４１に格納されている帳票識別子で識別される帳票の改版元の帳票を識別する識別子である。変更項目は、帳票識別子で識別される帳票を改版して、ベース識別子で識別される帳票を生成するとき、ベース識別子で識別される帳票の中で変更された項目を示す情報である。変更項目のデータにおいて、ａｄｄは、ベース識別子の格納されていない帳票識別子ｓｐ００２で識別される帳票に加えた項目を示す。また、変更項目のデータにおいて、ｄｅｌは、ベース識別子の格納されていない帳票識別子ｓｐ００２で識別される帳票から削除した項目を示す。なお、ａｄｄとｄｅｌとは、それぞれ、同じ履歴情報２４に格納されているベース識別子で識別される帳票からの差分を示しても良い。以下の説明では、変更項目のａｄｄとｄｅｌとは、ベース識別子の格納されていない帳票識別子との差分を示すものとして説明する。
【００６６】
データは、同じレコードに格納された項目に対応するデータである。
図１を参照して説明する。
【００６７】
出力部１３は、履歴情報２４１〜２４ｋを用いて、おすすめの帳票情報２１の改版後の改版帳票情報２１を検索する。そして、出力部１３は、検索により発見した改版帳票情報２１を表示部７０に出力しても良い。これにより、出力部１３は、表示部７０に改版帳票情報７０を表示させる。以下の説明において、出力部１３から端末２に出力された各種帳票に関する情報は、処理部４２を介して表示部７０に入力され、表示部７０で表示されるものとする。すなわち、出力部１３から出力された各種帳票に関する情報が表示部７０に入力されることにより、出力部１３は、表示部３０に各種帳票に関する情報を表示させる処理（表示処理）をする。
【００６８】
図１２は、利用情報の一例を示す図である。
図１２を参照して、利用情報２５について説明する。
【００６９】
利用情報２５は、番号と、帳票識別子と、実行回数（利用回数）とを関連付けて格納する。
【００７０】
番号は、利用情報２５の各レコードを識別するための識別子である。
帳票識別子は、帳票を識別する識別子である。
【００７１】
実行回数は、同じレコードに格納されている帳票識別子で識別される帳票の出力回数を示す情報である。すなわち、実行回数とは、ユーザが問い合わせ画面に帳票情報２１が展開された状態で、ＯＫ１４０のアイコンを選択し、帳票の出力を要求した回数でも良い。
【００７２】
なお、図示しないが、利用情報２５には、ダウンロードされた回数を格納しても良い。ダウンロード回数（利用回数）とは、同じレコードに格納されている帳票識別子で識別される帳票が端末２に出力されたとき、端末２に出力された帳票のデータをユーザが保存した回数でも良い。
【００７３】
図１を参照して説明する。
出力部１３は、利用情報２５を用いて、おすすめの帳票情報２１の実行回数を検索し、おすすめの帳票情報２１と、おすすめの帳票情報２１の実行回数とを関連付けて出力する。また、出力部１３は、利用情報２５を用いて、改版帳票情報２１の利用回数を検索し、改版帳票情報２１と、改版帳票情報２１の実行回数とを関連付けて出力する。これにより、出力部１３は、表示部７０に改版帳票情報２１と、改版帳票情報２１の実行回数とを関連付けて表示させる。なお、利用情報２５にダウンロード回数が格納されている場合には、おすすめの帳票情報２１と改版帳票情報２１とにそれぞれダウンロード回数を関連付けて出力しても良い。これにより、出力部１３は、おすすめの帳票情報２１と改版帳票情報２１とにそれぞれダウンロード回数を関連付けて表示させる。
【００７４】
出力部１３がおすすめの帳票情報２１と、改版帳票情報２１とを出力する処理について、図１１〜図１４を参照して説明する。また、以下の説明において、抽出部１２は、検索条件に一致する帳票として、帳票情報２１１を抽出したものとして説明する。
【００７５】
取得部１５は、図１０に示す帳票情報２１１を識別する帳票識別子ｓｐ００２を取得する。そして、抽出部１２は、履歴情報２４１〜２４ｋから、図１１に示す帳票識別子ｓｐ００２を含む履歴情報２４１、履歴情報２４２、および履歴情報２４３を抽出する。
【００７６】
このとき、抽出部１２は、履歴情報２４１の項目「ベース識別子」に関連付けられて帳票識別子が格納されていないので、帳票識別子ｓｐ００２で識別される帳票情報２１１をおすすめの帳票情報として抽出しても良い。また、帳票情報検索装置１は、項目「ベース識別子」に帳票識別子ｓｐ００２が格納されているので、帳票識別子ｓｐ０１０、ｓｐ０１６で識別される帳票情報２１を、帳票情報２１１を改版した改版帳票情報２１として抽出しても良い。なお、抽出した帳票情報２１に格納された帳票識別子が、例えば、ｓｐ０１０であるとき、抽出部１２は、履歴情報２４２を抽出する。このとき、取得部１５は、履歴情報２４２からベース識別子ｓｐ００２を取得する。そして、抽出部１２は、履歴情報２４１〜２４ｋから帳票識別子ｓｐ００２を含む履歴情報２４１、および履歴情報２４３を抽出しても良い。
【００７７】
図１３は、帳票の出力画面の一例を示す図（その１）である。
図１３を参照して説明する。帳票３０１は、帳票識別子ｓｐ００２に対応する帳票情報２１を復元した帳票である。帳票３０２は、帳票識別子ｓｐ０１０に対応する帳票情報２１を復元した帳票である。帳票３０３は、帳票識別子ｓｐ０１６に対応する帳票情報２１を復元した帳票である。
【００７８】
抽出部１２は、履歴情報２４１〜２４３から作成者識別子を取得し、利用者情報２２１−２２ｍから取得した作成者識別子と同じ利用者識別子が格納されている利用者情報２２を抽出する。そして、取得部１５は、抽出した各利用者情報２２から利用者名と所属部名とを取得する。
【００７９】
また、取得部１５は、履歴情報２４１〜２４３から変更項目（カスタマイズ項目）の数を取得する。
【００８０】
さらに、取得部１５は、利用情報２５から、履歴情報２４１〜２４３に含まれる帳票識別子ｓｐ００２、ｓｐ０１０、ｓｐ０１６に対応する実行回数を取得する。
【００８１】
取得部１５は、履歴情報２４１〜２４３に含まれる帳票識別子ｓｐ００２、ｓｐ０１０、ｓｐ０１６で識別される帳票情報２１を取得する。そして、出力部１３は、帳票識別子ｓｐ００２、ｓｐ０１０、ｓｐ０１６で識別される帳票情報２１を復元した帳票を出力し、それぞれの帳票情報２１に対応する利用者名と、所属部署名と、実行回数と、カスタマイズ項目数とを関連付けて、端末２に送信する。
【００８２】
このとき、出力部１３は、履歴情報２４２、２４３の変更項目（変更された項目列）を参照し、おすすめの帳票情報２１１からの変更項目を識別可能な状態にして出力する。出力部１３は、図１１に示す履歴情報２４２の変更項目において、ａｄｄに担当者、ｄｅｌに商談部門が関連付けられているので、図１３に示すように、追加項目である担当者を太線で囲み、商談部門の項目に削除を示す斜線を表示する状態に設定する。また、出力部１３は、図１１に示す履歴情報２４３の変更項目において、ａｄｄに一般管理費と、担当者とが関連付けられているので、図１３に示すように、追加項目である一般管理と担当者とを太線で囲んだ表示をする状態に設定する。なお、図１３に示す例では、変更項目について、追加または削除を認識可能に表示する対応であるが、他の変形例に変更することや、他の変形例と組み合わせることも可能である。例えば、センター名の内の一部を選択して出力する帳票の変更を行なった場合は、削除されたセンター名に対応する行について、その行の削除を示す斜線を表示するようにしても良い。一例として、図１３に示されるセンター名の内、西日本のデータセンタを選択する変更を行なった帳票が格納されている場合、その帳票をセンター名が東京の行について斜線を表示した状態で表示することとしても良い。また、帳票の行についての変更の表示制御と、図１３に示す帳票の変更項目についての表示制御を組み合わせて実施しても良い。
【００８３】
そして、処理部４２は、帳票識別子ｓｐ００２、ｓｐ０１０、ｓｐ０１６で識別される帳票情報２１を復元した帳票を受信すると、図１３に示すように、帳票３０１〜３０３を表示部７０に表示させる。このとき、処理部４２は、帳票３０１〜３０３にそれぞれ帳票情報２１に対応する利用者名と、所属部署名と、実行回数と、カスタマイズ項目数とを関連付けて表示させても良い。
【００８４】
図１４は、帳票の出力画面の一例を示す図（その２）である。
図１４を参照して説明する。帳票３０１は、帳票識別子ｓｐ００２に対応する帳票情報２１を復元した帳票である。帳票３０２は、帳票識別子ｓｐ０１０に対応する帳票情報２１を復元した帳票である。帳票３０３は、帳票識別子ｓｐ０１６に対応する帳票情報２１を復元した帳票である。さらに、帳票３０４は、帳票３０１の項目を変更して作成された帳票である。また、帳票３０５は、帳票３０２の項目を変更して作成された帳票である。
【００８５】
出力部１３は、帳票３０１〜３０５について、履歴情報２４１〜２４ｋに格納されているベース識別子をたどり、それぞれの元となる帳票３０１と、改版後の帳票との関係を識別可能な状態にして復元した帳票を出力し、端末２に送信しても良い。
【００８６】
そして、処理部４２は、帳票３０１〜３０５を受信すると、図１４に示すように、それぞれの関係を識別可能な状態にして、帳票３０１〜３０５を表示部７０に表示させる。このとき、処理部４２は、帳票３０１〜３０５にそれぞれ帳票情報２１に対応する利用者名と、所属部署名と、実行回数と、カスタマイズ項目数とを関連付けて表示しても良い。
【００８７】
図１を参照して説明する。
処理部４２は、表示部７０に表示されている帳票の中から、帳票の作成に利用する帳票が選択されると、選択された帳票を示す選択情報を帳票情報検索装置１に送信する。
【００８８】
受付部１１は、選択情報を受信すると、選択された帳票の項目を含む情報である帳票情報２１が選択されたものとして受け付ける。
【００８９】
生成部１４は、選択された帳票情報２１に含まれる項目と、入力された項目とが異なるとき、選択された帳票情報２１に含まれる項目を、入力された項目に変更した変更帳票情報２１（第３帳票情報）を生成する。
【００９０】
また、生成部１４は、帳票情報２１に含まれる項目の文字列と、作成する帳票で用いる項目の文字列とのうち、同じ種別であるが、異なる文字列が使用されている項目があるか否かを判定する。そして、生成部１４は、第１種別の項目の文字列が異なるとき、選択された帳票情報２１に含まれる第１種別の項目の文字列を、作成する帳票に含まれる第１種別の項目の文字列に変更した変更帳票情報２１（第３帳票情報）を生成する。生成部１４は、項目が複数あるとき、他の種別の項目についても、同様の方法で変更しても良い。
【００９１】
また、抽出部１２は、キーワードと、所属部識別子とが入力されると、関連情報２３１−２３ｌからキーワードと、所属部識別子とが一致する関連情報２３を抽出する。そして、取得部１５は、抽出した関連情報２３に格納されている項目名に関連付けられた文字列を、作成する帳票で用いる項目の文字列として取得しても良い。取得部１１は、利用者識別子を受信したとき、受け付けた利用者識別子に関連付けられた所属部識別子を取得し、取得した所属部識別子を抽出部１２に出力しても良い。
【００９２】
図１５〜図２３を参照して、帳票情報２１の生成を説明する。
以下の説明では、図９の検索画面１２０に示すように、キーワードが入力され、処理部４２によって、帳票情報検索装置１に送信されたものとする。また、利用者が入力した所属部識別子は、ｆｊ１１であり、取得部１１により、利用者情報２１１〜２１ｎが検索され、利用者の所属部識別子１２３４が取得されたものとする。さらに、利用する帳票は、帳票情報２１１を復元することにより生成される帳票３０１が選択されたものとする。
【００９３】
生成部１４は、時期のキーワード「２０１４年」を受信すると、帳票情報２１１の条件１に関連付けられたデータ「２０１２年」を「２０１４年」に変更する。
【００９４】
抽出部１２は、部署のキーワード「第一シス事」を受信すると、図１６に示す除外情報２７を参照して、条件「部署」に関する文字列の中から「事」を抽出する。そして、抽出部１２は、部署のキーワード「第一シス事」を「第一シス」に変更し、職制情報２６１−２６ｋに含まれる項目である本部正式名から、「第一シス」が含まれる文字列を抽出する。抽出部１２は、「サービス本部第一システム統括部」と、「サービス本部第一システム統括部」と、「第一システム事業本部」と、「システム本部第一システムサービスセンター」とを抽出すると、図１７に示す組織情報２９を参照する。組織情報２９は、番号順に組織レベルが並べられ、「会社」、「本部」、「統括部」、「部門」の順で上位の組織であることを示している。
【００９５】
抽出部１２は、例えば、組織情報２９を用いて、本部正式名に上位の組織である「第一システム事業本部」が格納されている職制情報２６１を抽出する。
【００９６】
そして、生成部１４は、帳票情報２１１の条件２に関連付けられたデータ「ＳＣ本産業」を抽出された職制情報２６１の本部正式名である「第一システム事業本部」に変更する。
【００９７】
また、検索画面１２０の部署のキーワードに、例えば、「ＳＣ本産業」が入力され、「ＳＣ本産業」を受信すると、抽出部１２は、英字が含まれているので、図１８に示す略称情報２８を検索し、番号３で識別されるレコードに格納された英字略称ＳＣを抽出する。そして、抽出部１２は、職制情報２６１−２６ｋに含まれる項目である本部略称名から、「ＳＣ」が含まれる文字列を抽出しても良い。このとき、抽出部１２は、例えば、図１５に示す職制情報２６２を抽出しても良い。
【００９８】
抽出部１２は、帳票情報２１１の部門を示す項目に関連付けられた文字列「商談部門」と、集計単位１に入力された部門を示すキーワード「営業部門」とが異なることを抽出する。また、抽出部１２は、帳票情報２１１の利益を示す項目に関連付けられた文字列「営業利益」と、集計単位１に入力された利益を示すキーワード「経常利益」とが異なることを抽出する。なお、各項目の文字列が何の種別の項目を示すかについては、図示しないが、記憶部２０に記憶された分類情報に格納されているものとする。抽出部１２は、この分類情報を参照することにより、同じ種別の項目の文字列を比較しても良い。
【００９９】
生成部１４は、帳票情報２１１の項目「商談部門」と「営業利益」とを、「営業部門」と「経常利益」とに変更する。
【０１００】
さらに、抽出部１２は、帳票情報２１１の項目の中で、「顧客名」を部署によって文字列と検索条件とが変更される可能性のある項目として抽出する。なお、各項目の文字列が部署によって変更される可能性のある項目を示すかについては、図示しないが、記憶部２０に記憶された分類情報に格納されているものとする。抽出部１２は、この分類情報を参照することにより、部署によって変更される可能性のある項目の文字列を抽出しても良い。
【０１０１】
図８に示すように、抽出部１２は、関連情報２３から利用者の所属部識別子１２３４と、抽出した文字列「顧客名」とを含む、関連情報２３３を抽出する。出力部１３は、取得した関連情報２３３に格納されている項目名「ウエル化学」、「サンイ化学」、および「コサン化学」を端末２に送信する。処理部４２は、３つの項目名を表示部７０に表示させ、顧客に利用する項目名を選択させる。以下の説明では、項目名「ウエル化学」を選択したものとする。
【０１０２】
処理部４２は、選択された項目名「ウエル化学」を帳票情報検索装置１に送信する。抽出部１２は、項目名「ウエル化学」を受信すると、関連情報２３１〜２３ｌから、「ウエル化学」と、所属部識別子１２３４とが含まれる関連情報２３４を抽出する。そして、取得部１５は、項目「顧客名」に関する実データとして、「ウエル化学株式会社」、「ウエル化学東株式会社」、および「下関ウエル化学株式会社」を取得しても良い。
【０１０３】
そして、生成部１４は、帳票情報２１の集計単位３「顧客名」を抽出した項目名「ウエル化学」に変更しても良い。また、出力部１３は、「ウエル化学」に関するデータを収集するとき、取得した「ウエル化学株式会社」、「ウエル化学東株式会社」、および「下関ウエル化学株式会社」に対する売上や利益を格納した帳票を出力しても良い。
【０１０４】
以上により、帳票情報２１１の項目を適宜変更した、図１９に示す生成された帳票情報４０１が生成される。そして、出力部１３は、帳票情報４０１を端末２に送信する。
【０１０５】
図２０は、問い合わせ画面の一例を示す図である。
図２０を参照して、問い合わせ画面１５０について説明する。説明においては、図１９に示す帳票情報４０１の各キーワードを用いる。
【０１０６】
展開部４１は、帳票情報４０１を受信すると、帳票情報４０１を問い合わせ画面１５０に展開する。
【０１０７】
問い合わせ画面１５０は、時期１５１と、部署１５２と、条件１５３と、データ１５４と、検索対象１５５と、集計項目１５６とを含む。
【０１０８】
時期１５１には、帳票情報４０１において、条件１（時期）に対応するデータが展開される。
【０１０９】
部署１５２には、帳票情報４０１において、条件２（部署）に対応するデータが展開される。
【０１１０】
条件１５３には、帳票情報４０１において、集計単位１〜３に対応するデータが展開される。
【０１１１】
データ１５４には、帳票情報４０１において、データ１、２に対応するデータが展開される。
【０１１２】
検索対象１５５には、ユーザによって、検索するデータベースの範囲を示す情報が入力される。
【０１１３】
集計項目１５６には、時期１５１、部署１５２、条件１５３、データ１５４、および検索対象１５５にドラッグアンドドロップにより設定することができる項目が表示される。この集計項目１５６を用いることにより、ユーザは、さらに問い合わせ画面１５０に入力されている項目を修正することができる。
【０１１４】
集計実行１５７は、図２１に示すように、帳票の各項目が展開された状態で選択されると、問い合わせ画面１５０に展開された項目と、帳票の作成要求とを帳票情報検索装置１に送信する。これにより、ユーザは、帳票情報検索装置１で作成された帳票を取得することができる。また、生成部１４は、帳票の作成要求を受信して、帳票情報を作成すると、作成した帳票に対応する履歴情報２４を生成する。
【０１１５】
図２２は、生成された帳票を示す図である。
帳票４０２は、図２１に示す問い合わせ画面１５０の状態において、集計実行１５７が選択されたとき、帳票情報検索装置１で生成される帳票である。
【０１１６】
送信部５１は、通信接続された機器へ情報を送信する。受信部５２は、通信接続された機器から情報を受信する。
【０１１７】
入力部６０は、ユーザや接続された機器からの情報の入力を受け付ける。
表示部７０は、入力された情報を表示する。表示部７０は、出力部１３から出力された情報の入力を受け付け、入力された情報を表示する。出力部１３は、各種情報を出力することにより、表示部７０に出力した情報を表示させる。
【０１１８】
図２３、図２４は、帳票情報生成処理を示すフローチャートである。
図２３を参照して説明する。以下の説明では、帳票情報検索装置１と、端末２とで実行される処理を説明する。そして、帳票情報検索装置１で実行される処理は、制御部１０で実行されるものとする。また、端末２で実行される処理は、制御部４０で実行されるものとする。
【０１１９】
帳票情報検索装置１は、端末２から検索条件が入力されるまで待機する（Ｓ２０１）。
そして、帳票情報検索装置１は、端末２から検索条件が入力されると、検索条件に合致する帳票情報２１があるか否かを検索する（Ｓ１０２）。帳票情報検索装置１は、合致する帳票情報２１がないとき（Ｓ１０２にてＮｏ）、検索条件に含まれる項目を展開した問い合わせ画面を端末２に表示させる（Ｓ２０５）。
【０１２０】
帳票情報検索装置１は、合致する帳票情報２１があるとき（Ｓ１０３にてＹｅｓ）、検索条件と合致する帳票を抽出する（Ｓ１０３）。
【０１２１】
そして、帳票情報検索装置１は、抽出した帳票情報２１の帳票識別子を含む履歴情報２４から、履歴情報２４をベース識別子に基づいて遡って検索し、ベース識別子が格納されていない履歴情報２４を抽出する。そして、帳票情報検索装置１は、ベース識別子が格納されていない履歴情報２４に格納された帳票識別子に対応する帳票情報２１を元となる帳票情報２１として抽出する（Ｓ１０４）。
【０１２２】
帳票情報検索装置１は、履歴情報２４１−２４ｋのベース識別子を参照し、元となる帳票情報２１を改版した帳票があるか否かを判定する（Ｓ１０５）。帳票情報検索装置１は、元となる帳票情報２１を改版した帳票がないとき（Ｓ１０５にてＮｏ）、Ｓ１０８の処理を実行する。
【０１２３】
帳票情報検索装置１は、元となる帳票情報２１を改版した帳票があるとき（Ｓ１０５にてＹｅｓ）、改版帳票情報２１を抽出する（Ｓ１０７）。
【０１２４】
そして、帳票情報検索装置１は、抽出した元となる帳票情報２１と、改版帳票情報２１とを、復元した帳票のイメージ画像を、端末２の表示部７０に表示させる（Ｓ１０８）。このとき、帳票情報検索装置１は、抽出した元となる帳票情報２１の項目と、改版帳票情報の項目との間で、異なる項目を識別可能に表示させる設定をする。また、帳票情報検索装置１は、図１３に示すように、各帳票に関連付けて、各帳票の実行回数（利用回数）を表示させる設定をする。
【０１２５】
図２４を参照して説明する。
帳票情報検索装置１は、利用者が帳票を選択したか否かを判定する（Ｓ２０１）。帳票情報検索装置１は、利用者が帳票を選択していないとき（Ｓ２０１にてＮｏ）、所定時間が経過したか否かを判定する（Ｓ２０２）。
【０１２６】
そして、帳票情報検索装置１は、所定時間が経過したとき（Ｓ２０２にてＹｅｓ）、帳票情報検索処理を終了する。帳票情報検索装置１は、所定時間が経過していないとき（Ｓ２０２にてＮｏ）、Ｓ２０１の処理を実行する。
【０１２７】
Ｓ２０１において、帳票情報検索装置１は、利用者が帳票を選択したとき（Ｓ２０１にてＹｅｓ）、端末２から送信された選択された帳票の項目と、キーワードとが一致しているか否かを判定する（Ｓ２０３）。以下の説明では、選択された帳票のことを、選択帳票とも言う。
【０１２８】
帳票情報検索装置１は、選択された帳票の項目と、キーワードとが一致しているとき（Ｓ２０３にてＹｅｓ）、端末２に対して選択された帳票の項目を送信する。そして、端末２は、選択された帳票の項目を受信すると、問い合わせ画面１５０に選択された帳票の項目を展開する（Ｓ２０５）。
【０１２９】
帳票情報検索装置１は、選択された帳票の項目と、キーワードとが一致していないとき（Ｓ２０３にてＮｏ）、選択された帳票の項目をキーワードに対応した項目に変更する（Ｓ２０４）。そして、帳票情報検索装置１は、変更された選択帳票の項目を、端末２に対して送信する。端末２は、変更された選択帳票の項目を受信すると、問い合わせ画面１５０に変更された選択帳票の項目を展開する（Ｓ２０５）。
【０１３０】
帳票情報検索装置１は、集計実行１５７が選択されるまで待機する（Ｓ２０６にてＮｏ）。このとき、ユーザは、問い合わせ画面１５０に展開された項目を変更、および修正しても良い。
【０１３１】
そして、帳票情報検索装置１は、集計実行１５７が選択され（Ｓ２０６にてＹｅｓ）、端末２から問い合わせ画面１５０に入力された項目と帳票の作成要求を受信すると、問い合わせ画面１５０に入力された項目に対応する帳票を作成する（Ｓ２０７）。
【０１３２】
また、帳票情報検索装置１は、作成した帳票に対応する帳票情報２１と、履歴情報２４とを生成して、記憶部２０に記憶する（Ｓ２０８）。
【０１３３】
そして、帳票情報検索装置１は、帳票情報検索処理を終了する。
図２５は、コンピュータ装置の一実施例を示すブロック図である。
【０１３４】
図２５を参照して、帳票情報検索装置１と、端末２との構成について説明する。
図２５において、コンピュータ装置５００は、制御回路５０１と、記憶装置５０２と、読書装置５０３と、記録媒体５０４と、通信インターフェイス５０５（通信Ｉ／Ｆ）と、入出力インターフェイス５０６（入出力Ｉ／Ｆ）と、表示装置５０７と、ネットワーク５０８とを備えている。また、各構成要素は、バス５０９により接続されている。
【０１３５】
制御回路５０１は、コンピュータ装置５００全体の制御をする。そして、制御回路５０１は、例えば、ＣＰＵ、マルチコアＣＰＵ、ＦＰＧＡ（Ｆｉｅｌｄ  Ｐｒｏｇｒａｍｍａｂｌｅ  Ｇａｔｅ  Ａｒｒａｙ）およびＰＬＤ（Ｐｒｏｇｒａｍｍａｂｌｅ  Ｌｏｇｉｃ  Ｄｅｖｉｃｅ）などのプロセッサである。制御回路５０１は、例えば、図１において、制御部１０と、制御部４０として機能する。なお、図１において、記憶部２０に記憶された帳票情報２１１−２１ｎと、利用者情報２２１−２２ｍと、関連情報２３１−２３ｌと、履歴情報２４１−２４ｋと、利用情報２５と、職制情報２６１−２６ｋと、除外情報２７と、略称情報２８と、組織情報２９とは、例えば、ＣＰＵ、ＦＰＧＡ、およびＰＬＤのキャッシュに記憶されても良い。
【０１３６】
記憶装置５０２は、各種データを記憶する。記憶装置５０２は、例えば、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などのメモリや、ＨＤなどである。記憶装置５０２は、例えば、図１において、記憶部２０として機能する。また、記憶装置５０２は、ネットワーク５０８上のサーバが有する記憶装置でも良い。そして、図１において、記憶部２０に記憶された各種情報は、ネットワーク５０８上のサーバが有する記憶装置に記憶されても良い。
【０１３７】
また、ＲＯＭは、ブートプログラムなどのプログラムを記憶している。ＲＡＭは、制御回路５０１のワークエリアとして使用される。ＨＤは、ＯＳ、アプリケーションプログラム、ファームウェアなどのプログラム、および各種データを記憶している。
【０１３８】
記憶装置５０２は、例えば、制御回路５０１を、制御部１０として機能させる帳票情報検索プログラムを記憶する。
【０１３９】
帳票情報検索処理をするとき、帳票情報検索装置１は、記憶装置５０２に記憶された帳票情報検索プログラムをＲＡＭに読み出す。ＲＡＭに読み出された帳票情報検索プログラムを制御回路５０１で実行することにより、帳票情報検索装置１は、帳票情報検索処理を実行する。帳票情報検索処理は、受付処理と、抽出処理と、出力処理と、表示処理と、生成処理と、取得処理との１以上を含む。
【０１４０】
なお、帳票情報検索プログラムは、制御回路５０１が通信インターフェイス５０５を介してアクセス可能であれば、ネットワーク５０８上のサーバが有する記憶装置に記憶されていても良い。
【０１４１】
読書装置５０３は、制御回路５０１に制御され、着脱可能な記録媒体５０４のデータのリード／ライトを行なう。そして、読書装置５０３は、例えば、ＦＤＤ（Ｆｌｏｐｐｙ  Ｄｉｓｋ  Ｄｒｉｖｅ）、ＣＤＤ（Ｃｏｍｐａｃｔ  Ｄｉｓｃ  Ｄｒｉｖｅ）、ＤＶＤＤ（Ｄｉｇｉｔａｌ  Ｖｅｒｓａｔｉｌｅ  Ｄｉｓｋ  Ｄｒｉｖｅ）、ＢＤＤ（Ｂｌｕ−ｒａｙ（登録商標）  Ｄｉｓｋ  Ｄｒｉｖｅ）およびＵＳＢ（Ｕｎｉｖｅｒｓａｌ  Ｓｅｒｉａｌ  Ｂｕｓ）などである。
【０１４２】
記録媒体５０４は、各種データを保存する。記録媒体５０４は、例えば、帳票情報検索プログラムを記憶するコンピュータ読取可能記録媒体でも良い。さらに、記録媒体５０４は、図１において、記憶部２０に記憶された各種情報を記憶しても良い。
【０１４３】
そして、記録媒体５０４は、読書装置５０３を介してバス５０９に接続され、制御回路５０１が読書装置５０３を制御することにより、データのリード／ライトが行なわれる。また、記録媒体５０４は、例えば、ＦＤ（Ｆｌｏｐｐｙ  Ｄｉｓｋ）、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、ＢＤ（Ｂｌｕ−ｒａｙ（登録商標）  Ｄｉｓｋ）、およびフラッシュメモリなどである。
【０１４４】
通信インターフェイス５０５は、ネットワーク５０８を介してコンピュータ装置５００と他の装置とを通信可能に接続する。通信インターフェイス５０５は、通信接続されたサーバから提供される、図１において記憶部２０に記憶された各種情報を受信しても良い。そして、通信インターフェイス５０５は、例えば、図１において、送受信部３０と、送受信部５０として機能する。
【０１４５】
入出力インターフェイス５０６は、例えば、キーボード、マウス、およびタッチパネルなどと接続され、接続された装置から各種情報を示す信号が入力されると、バス５０９を介して入力された信号を制御回路５０１に出力する。また、入出力インターフェイス５０６は、制御回路５０１から出力された各種情報を示す信号がバス５０９を介して入力されると、接続された各種装置にその信号を出力する。入出力インターフェイス５０６は、例えば、ユーザにより入力される、帳票情報２１１−２１ｎと、利用者情報２２１−２２ｍと、関連情報２３１−２３ｌと、履歴情報２４１−２４ｋと、利用情報２５と、職制情報２６１−２６ｋと、除外情報２７と、略称情報２８と、組織情報２９と、データ８０とを受け付けても良い。そして、入出力インターフェイス５０６は、例えば、図１において、入力部６０として機能する。
【０１４６】
表示装置５０７は、例えば、入出力インターフェイス５０６に接続され、各種情報を表示する。そして、表示装置５０７は、例えば、図１において、表示部７０として機能する。
【０１４７】
ネットワーク５０８は、例えば、ＬＡＮ、無線通信、またはインターネットなどであり、コンピュータ装置５００と他の装置を通信接続する。
【０１４８】
以上のように、実施形態の帳票情報検索装置１は、過去に作成した元となるおすすめの帳票の項目と、おすすめの帳票を改版して作成された改版帳票の項目とを識別可能に端末２に表示させる。したがって、帳票情報検索装置１は、ユーザに対し、過去に作成した帳票から、帳票を作成するときに使用するよりよい帳票を選択するための判断材料を提示することができる。
【０１４９】
実施形態の帳票情報検索装置１は、おすすめの帳票情報の候補を検索するとき、ユーザにより入力された項目に基づいておすすめの帳票情報を抽出する。したがって、帳票情報検索装置１は、おすすめの帳票情報として、ユーザの求める帳票情報に近い帳票情報を提示することができる。
【０１５０】
実施形態の帳票情報検索装置１は、おすすめの帳票と、変更した項目を識別可能にした改版帳票とを同時に表示する。したがって、帳票情報検索装置１は、おすすめの帳票情報と、改版帳票情報との違いを、容易に判別させることができる。
【０１５１】
実施形態の帳票情報検索装置１は、端末２に表示された帳票をユーザが選択したとき、選択した帳票にユーザが入力したキーワードと異なる項目が含まれる場合、選択した帳票の項目をユーザが入力したキーワードに対応する情報に変更した帳票情報を生成する。これにより、帳票情報検索装置１は、ユーザの求める帳票に近い帳票情報の項目を自動的に生成し、問い合わせ画面に展開することができる。
【０１５２】
実施形態の帳票情報検索装置１は、新たな帳票を作成したとき、履歴情報を作成する。これにより、帳票情報検索装置１は、元となる帳票を改版した改版帳票を、履歴情報を検索することにより抽出することができる。
【０１５３】
実施形態の帳票情報検索装置１は、おすすめの帳票と、変更した項目を識別可能にした改版帳票とを表示するとき、各帳票情報に利用回数を関連付けて表示する。これにより、帳票情報検索装置１は、より多く利用された汎用性の高い帳票を識別可能にする。したがって、帳票情報検索装置１は、ユーザに対し、過去に作成した帳票から、帳票を作成するときに使用するよりよい帳票を選択するための判断材料を提示することができる。
【０１５４】
なお、本実施形態は、以上に述べた実施形態に限定されるものではなく、本実施形態の要旨を逸脱しない範囲内で種々の構成または実施形態を取ることができる。
【０１５５】
以上記載した各実施例を含む実施形態に関し、さらに以下の付記を開示する。なお、本発明は、以下の付記に限定されるものではない。
（付記１）
コンピュータに、
項目に関する検索条件の入力を受け付け、
記憶部に記憶された帳票の項目を指定する情報を含む複数の帳票情報の中から、入力された前記検索条件に合致する第１帳票情報を抽出し、
前記第１帳票情報を、入力された情報を表示する表示部に表示させるとともに、前記第１帳票情報の改変後の第２帳票情報が前記記憶部に記憶されているとき、前記第２帳票情報が前記検索条件に合致しなくとも、前記第１帳票情報と前記第２帳票情報の双方に含まれる項目と、前記第１帳票情報と前記第２帳票情報のいずれか一方にのみ含まれる項目とを識別可能に、前記第２帳票情報を前記表示部に表示させる
処理を実行させることを特徴とする帳票情報検索プログラム。
（付記２）
前記検索条件は、
帳票の作成時に指定可能な項目を含み、
前記抽出処理は、
入力された前記項目と一致する項目を含む前記第１帳票情報を抽出する
ことを特徴とする付記１に記載の帳票情報検索プログラム。
（付記３）
前記検索条件は、
帳票の作成時に指定可能な項目を含み、
前記コンピュータにより実行される処理は、さらに、
前記帳票情報を前記表示部に表示させたとき、表示させた前記帳票情報の選択を受け付け、
選択された帳票情報に含まれる項目と、入力された前記項目とが異なるとき、選択された帳票情報に含まれる前記項目を、入力された前記項目に変更した第３帳票情報を生成する
処理を含むことを特徴とする付記１または２に記載の帳票情報検索プログラム。
（付記４）
前記記憶部は、さらに、
項目を変更する前の帳票情報と、項目を変更した改変後の帳票情報とを関連付けた履歴情報を記憶し、
前記表示処理は、
履歴情報を用いて、前記第１帳票情報の改変後の第２帳票情報を検索し、検索により発見した前記第２帳票情報を表示する
ことを特徴とする付記１〜３のいずれか一つに記載の帳票情報検索プログラム。
（付記５）
前記記憶部は、さらに、
各帳票情報が利用された利用回数を示す利用情報を記憶し、
前記表示処理は、さらに、
前記利用情報を用いて、第２帳票情報の利用回数を検索し、前記第２帳票情報と、第２帳票情報の前記利用回数とを表示する
ことを特徴とする付記１〜４のいずれか一つに記載の帳票情報検索プログラム。
（付記６）
前記検索条件は、
帳票の作成時に指定可能な項目に関連するキーワードを含み、
前記受付処理は、さらに、
作成する帳票を用いるユーザの第１識別情報を受け付け、
前記記憶部は、さらに、
前記キーワードと、ユーザの前記第１識別情報と、項目の文字列とを関連付けた第１関連情報を記憶し、
前記コンピュータにより実行される処理は、さらに、
前記キーワードと前記第１識別情報とが入力されたとき、前記第１関連情報を検索し、入力された前記キーワードと前記第１識別情報とに関連付けられた項目の前記文字列を取得する処理を含み、
前記抽出処理は、
取得した項目の前記文字列と一致する項目の文字列を含む前記帳票情報を抽出する
処理をコンピュータに実行させることを特徴とする付記１〜５のいずれか一つに記載の帳票情報検索プログラム。
（付記７）
前記検索条件は、
帳票の作成時に指定可能な項目に関連するキーワードを含み、
前記受付処理は、さらに、
作成する帳票を用いるユーザの第１識別情報を受け付け、
前記記憶部は、さらに、
前記キーワードと、ユーザの前記第１識別情報と、項目の文字列とを関連付けた第１関連情報を記憶し、
前記コンピュータにより実行される処理は、さらに、
前記キーワードと前記第１識別情報が入力されたとき、前記第１関連情報を用いて入力された前記キーワードと前記第１識別情報とに関連付けられた第１種別の項目の前記文字列を取得する処理を含み、
前記生成処理は、
選択された帳票情報に含まれる第１種別の項目の前記文字列と、取得した第１種別の項目の前記文字列とが異なるとき、選択された帳票情報に含まれる第１種別の項目の前記文字列を、取得した第１種別の項目の前記文字列に変更した第３帳票情報を生成する
処理をコンピュータに実行させることを特徴とする付記３に記載の帳票情報検索プログラム。
（付記８）
項目に関する検索条件の入力を受け付ける受付部と、
記憶部に記憶された帳票の項目を指定する情報を含む複数の帳票情報の中から、入力された前記検索条件に合致する第１帳票情報を抽出する抽出部と、
前記第１帳票情報を、入力された情報を表示する表示部に出力するとともに、前記第１帳票情報の改変後の第２帳票情報が前記記憶部に記憶されているとき、前記第２帳票情報が前記検索条件に合致しなくとも、前記第１帳票情報と前記第２帳票情報の双方に含まれる項目と、前記第１帳票情報と前記第２帳票情報のいずれか一方にのみ含まれる項目とを識別可能にした前記第２帳票情報を、前記表示部に出力する出力部と、
を備えることを特徴とする帳票情報検索装置。
（付記９）
前記検索条件は、
帳票の作成時に指定可能な項目を含み、
前記抽出部は、
入力された前記項目と一致する項目を含む前記第１帳票情報を抽出する
ことを特徴とする付記８に記載の帳票情報検索装置。
（付記１０）
前記受付部は、
前記帳票情報を表示したとき、表示した前記帳票情報の選択を受け付け、
前記帳票情報検索装置は、さらに、
選択された帳票情報に含まれる項目と、入力された前記項目とが異なるとき、選択された帳票情報に含まれる前記項目を、入力された前記項目に変更した第３帳票情報を生成する生成部を
備えることを特徴とする付記８または９に記載の帳票情報検索装置。
（付記１１）
帳票情報検索装置のコンピュータにより実行される帳票情報検索方法であって、
前記コンピュータは、
項目に関する検索条件の入力を受け付け、
記憶部に記憶された帳票の項目を指定する情報を含む複数の帳票情報の中から、入力された前記検索条件に合致する第１帳票情報を抽出し、
前記第１帳票情報を、入力された情報を表示する表示部に表示させるとともに、前記第１帳票情報の改変後の第２帳票情報が前記記憶部に記憶されているとき、前記第２帳票情報が前記検索条件に合致しなくとも、前記第１帳票情報と前記第２帳票情報の双方に含まれる項目と、前記第１帳票情報と前記第２帳票情報のいずれか一方にのみ含まれる項目とを識別可能に、前記第２帳票情報を前記表示部に表示させる
ことを特徴とする帳票情報検索方法。
（付記１２）
前記検索条件は、
帳票の作成時に指定可能な項目を含み、
前記コンピュータは、さらに、
前記抽出処理において、入力された前記項目と一致する項目を含む前記第１帳票情報を抽出する
ことを特徴とする付記１１に記載の帳票情報検索方法。
（付記１３）
前記検索条件は、
帳票の作成時に指定可能な項目を含み、
前記コンピュータは、さらに、
前記帳票情報を表示したとき、表示した前記帳票情報の選択を受け付け、
選択された帳票情報に含まれる項目と、入力された前記項目とが異なるとき、選択された帳票情報に含まれる前記項目を、入力された前記項目に変更した第３帳票情報を生成する
ことを特徴とする付記１１または１２に記載の帳票情報検索方法。
【符号の説明】
【０１５６】
１  帳票情報検索装置
２  端末
１０  制御部
２０  記憶部
３０  送受信部
４０  制御部
５０  送受信部
６０  入力部
７０  表示部
８０  データ
５００  コンピュータ装置
５０１  制御回路
５０２  記憶装置
５０３  読書装置
５０４  記録媒体
５０５  通信インターフェイス
５０６  入出力インターフェイス
５０７  表示装置
５０８  ネットワーク
５０９  バス
【図１】
0006455087.tif 000002
【図２】
0006455087.tif 000003
【図３】
0006455087.tif 000004
【図４】
0006455087.tif 000005
【図５】
0006455087.tif 000006
【図６】
0006455087.tif 000007
【図７】
0006455087.tif 000008
【図８】
0006455087.tif 000009
【図９】
0006455087.tif 000010
【図１０】
0006455087.tif 000011
【図１１】
0006455087.tif 000012
【図１２】
0006455087.tif 000013
【図１３】
0006455087.tif 000014
【図１４】
0006455087.tif 000015
【図１５】
0006455087.tif 000016
【図１６】
0006455087.tif 000017
【図１７】
0006455087.tif 000018
【図１８】
0006455087.tif 000019
【図１９】
0006455087.tif 000020
【図２０】
0006455087.tif 000021
【図２１】
0006455087.tif 000022
【図２２】
0006455087.tif 000023
【図２３】
0006455087.tif 000024
【図２４】
0006455087.tif 000025
【図２５】
0006455087.tif 000026